(57)【要約】      （修正有）【課題】円柱形のエアゾール缶の一端側に、径方向に隣り合うように設けられる第１ステム、第２ステムから二種の内容物を同時に吐出させるためのノズルユニットにおいて、製造コストを低減可能にするとともに、内容物を吐出させるための通路の洗浄に伴う部品取り外し作業を簡単に行えるようにする。【解決手段】ノズルユニット３は、台座５と、吐出ヘッド６との２パーツで構成されている。吐出ヘッド６は、ノズル６１と、枠部６２と、を有する。ノズル６１は、第１ステム４２、第２ステム４３に個別に連結されるとともに第１ステム４２、第２ステム４３から吐出される各内容物を合流して外へ吐出させる。枠部６２は、台座５に離脱可能に係止される係止部６２ｅを有しかつノズル６１の押動操作に応答して傾動可能とするように支持する。台座５は、吐出ヘッド６の係止部６２ｅが係止される被係止部５２ａを有する。【選択図】図１
2019051988.tif 000002
【特許請求の範囲】
【請求項１】
円柱形のエアゾール缶の一端側に径方向に隣り合うように設けられる第１ステムおよび第２ステムから、二種の内容物を同時に吐出させるためのノズルユニットであって、
前記エアゾール缶の前記一端側に前記第１ステムおよび第２ステムを露呈するように着脱可能に装着される台座と、この台座の上部に着脱可能に取り付けられる吐出ヘッドとの２パーツで構成され、
前記吐出ヘッドは、前記第１ステムおよび第２ステムに個別に連結されるとともに、前記第１ステムおよび第２ステムから吐出される各内容物を合流して外へ吐出させるための通路を有するノズルと、前記台座に離脱可能に係止される係止部を有しかつ前記ノズルの押動操作に応答して傾動可能とするように支持するための枠部と、を有し、
前記台座は、前記吐出ヘッドの前記係止部が離脱可能に係止される被係止部を有する、ことを特徴とするノズルユニット。
【請求項２】
請求項１に記載のノズルユニットであって、
前記枠部は、前記ノズルの両側に配置されるとともに、前記ノズルよりも高さが高く設定された一対の立壁部を有する、ことを特徴とするノズルユニット。
【請求項３】
請求項２に記載のノズルユニットであって、
前記台座は筒状とされ、
前記立壁部の外面は、前記エアゾール缶の中心軸線に沿う方向で前記台座の外周面と面一に連なるように構成されている、ことを特徴とするノズルユニット。
【請求項４】
請求項１から３のいずれか１項に記載のノズルユニットであって、
前記ノズルは、その吐出口側が弾性アームを介して前記枠部に片持ち梁状に支持されていて、
前記通路は、前記第１ステムおよび第２ステムから前記エアゾール缶の中心軸線に沿って吐出される二種の内容物を前記エアゾール缶の径方向外向きに方向転換させて合流させながら外へ向かわせるような形状とされている、ことを特徴とするノズルユニット。
【請求項５】
請求項４に記載のノズルユニットであって、
前記通路の前記方向転換部位は、外側に開放するような形態とされていて、
前記ノズルの上側には、前記開放部位を開閉するためのノズルカバーが重ね合わされていて、
このノズルカバーは、前記ノズルの反吐出口側にヒンジを介して一直線に並ぶように連接されるとともに、前記ヒンジを支点として上向きに折り曲げられることによって前記ノズルの上側に重ね合されるように構成されている、ことを特徴とするノズルユニット。
【請求項６】
請求項４に記載のノズルユニットであって、
前記通路の前記方向転換部位は、外側に開放するような形態とされていて、
前記ノズルにおいて前記開放部位の近傍には、当該開放部位を開閉するためのノズルカバーがヒンジを介して連接されており、
このノズルカバーは、前記ヒンジを支点として反吐出口側に伏せるように傾動されることにより前記開放部位を閉塞する状態にされる一方、前記ヒンジを支点として吐出口側に引き離すように傾動されることにより前記開放部位を開放する状態にされるように構成されている、ことを特徴とするノズルユニット。
【請求項７】
請求項１から６のいずれか１項に記載のノズルユニットであって、
前記台座には、径方向内向きの押動操作に応答して前記被係止部を前記吐出ヘッドの係止部から離脱させるための操作部が設けられている、ことを特徴とするノズルユニット。
【請求項８】
円柱形とされかつ一端側に径方向に隣り合う第１ステムおよび第２ステムが設けられているエアゾール缶と、
このエアゾール缶の前記一端側に着脱可能に取り付けられかつ押動操作に応答して前記エアゾール缶内の二種の内容物を前記第１ステムおよび第２ステムから同時に吐出させるためのノズルユニットと、を含み、
前記ノズルユニットが、請求項１から７のいずれか１項に記載の構成とされている、ことを特徴とする二液吐出器。
【発明の詳細な説明】
【技術分野】
【０００１】
本発明は、円柱形のエアゾール缶の一端側に径方向に隣り合うように設けられる第１ステムおよび第２ステムから、二種の内容物を同時に吐出させるためのノズルユニット、ならびにそれを備える二液吐出器に関する。
【背景技術】
【０００２】
例えば特許文献１には、毛染め用の二種の液体を吐出する二液吐出器が記載されており、また、例えば特許文献２には、二種の液体を吐出する二連式エアゾール容器が記載されている。
【０００３】
特許文献１の二液吐出器ならびに特許文献２の二連式エアゾール容器は、共に、円柱形の二本のエアゾール缶それぞれの中心軸線の一端側に設置されるバルブそれぞれのステムに吐出具が取り付けられている。
【０００４】
前記ステムは、二つ横並びで離隔して配置されている。
【０００５】
上記特許文献１の吐出具は、四つの部品（容器固定枠、容器固定筒、吐出ヘッド、押圧操作部）で構成されている。そして、前記押圧操作部を押し下げると、前記二本のエアゾール缶の二種類の液体が前記ノズル部材の先端から径方向外向きに同時に吐出されるようになっている。
【０００６】
なお、前記吐出ヘッドは、その洗浄を容易にするために、エアゾール缶のステムに嵌合されるケーシングと、ノズルを有する底壁とを連結ヒンジを介して一直線上に並べた構成にしていて、前記ヒンジを起点として前記下側基体と前記上側基体とを折り重ねることができるような構成になっている。
【０００７】
上記特許文献２の吐出具は、三つの部品（ノズル部材、カバー部材、レバー部材）で構成されている。そして、前記レバー部材を押し下げると、二本のエアゾール缶の二種類の液体が前記ノズル部材の先端から径方向外向きに同時に吐出されるようになっている。
【０００８】
なお、前記ノズル部材は、その洗浄を容易にするために、エアゾール缶のステムに嵌合される下側基体と、ノズルを有する上側基体とをヒンジを介して一直線上に並べた構成にしていて、前記ヒンジを起点として前記下側基体と前記上側基体とを折り重ねることができるような構成になっている。
【先行技術文献】
【特許文献】
【０００９】
【特許文献１】特許第５６７４３８６号公報
【特許文献２】特開２０１５−１４５２５９号公報
【発明の概要】
【発明が解決しようとする課題】
【００１０】
上記特許文献１の吐出具は四つの部品で構成されており、また、上記特許文献２の吐出具は三つの部品で構成されているが、共に、ノズル部分（吐出ヘッド、ノズル部材）と、それの操作部分（押圧操作部、レバー部材）とが別体であるため、上記特許文献１，２では、内容物の吐出後において前記ノズル部分を洗浄する際に、必ず前記操作部分を取り外す必要があるなど、手間がかかることが懸念される。ここに改良の余地がある。
【００１１】
このような事情に鑑み、本発明は、円柱形のエアゾール缶の一端側に径方向に隣り合うように設けられる第１ステムおよび第２ステムから、二種の内容物を同時に吐出させるためのノズルユニットにおいて、上記特許文献１，２の吐出具に比べて製造コストを低減可能にするとともに、内容物を吐出させるための通路の洗浄に伴う部品取り外し作業、具体的には、台座から吐出ヘッドを取り外す作業、吐出ヘッドを洗浄する作業、吐出ヘッドを台座へ装着する作業といった一連の動作を簡単に行えるようにすることを目的としている。
【００１２】
また、本発明は、前記ノズルユニットを備える二液吐出器において、上記特許文献１の二液吐出器および特許文献２の二連式エアゾール容器に比べて製造コストを低減可能にするとともに、使用後の手入れ、具体的には、洗浄に伴う部品取り外し作業を簡単に行えるようにすることを目的としている。
【課題を解決するための手段】
【００１３】
本発明は、円柱形のエアゾール缶の一端側に径方向に隣り合うように設けられる第１ステムおよび第２ステムから、二種の内容物を同時に吐出させるためのノズルユニットであって、前記エアゾール缶の前記一端側に前記第１ステムおよび第２ステムを露呈するように着脱可能に装着される台座と、この台座の上部に着脱可能に取り付けられる吐出ヘッドとの２パーツで構成され、前記吐出ヘッドは、前記第１ステムおよび第２ステムに個別に連結されるとともに、前記第１ステムおよび第２ステムから吐出される各内容物を合流して外へ吐出させるための通路を有するノズルと、前記台座に離脱可能に係止される係止部を有しかつ前記ノズルの押動操作に応答して傾動可能とするように支持するための枠部と、を有し、前記台座は、前記吐出ヘッドの前記係止部が離脱可能に係止される被係止部を有する、ことを特徴としている。
【００１４】
この構成では、前記ノズルユニットを前記台座と前記吐出ヘッドとの２パーツ構造であることから、上記特許文献１，２に比べて前記ノズルユニットの構成部品点数が少なくなるとともに製造コストを低減することが可能になる。
【００１５】
しかも、前記通路を洗浄する際には、前記吐出ヘッドのみを取り外すだけでよくなっているから、洗浄に伴う部品取り外し作業が上記特許文献１，２に比べて簡単に行えるようになる。
【００１６】
ところで、前記枠部は、前記ノズルの両側に配置されるとともに、前記ノズルよりも高さが高く設定された一対の立壁部を有する、構成とすることが好ましい。
【００１７】
この構成によれば、前記一対の立壁部の存在によって前記ノズルに触れにくくなるので、当該ノズルが間違って押動操作されにくくなり、誤操作を防止することができる。
【００１８】
また、前記台座は筒状とされ、前記立壁部の外面は、前記エアゾール缶の中心軸線に沿う方向で前記台座の外周面と面一に連なるように構成されている、ことが好ましい。
【００１９】
この構成によれば、前記台座の外周面と前記吐出ヘッドの枠部における一対の立壁部の外面とが面一に連なるようになるから、ノズルユニットの外形デザインがシンプルでスマートになるとともに、エアゾール缶との一体感が増すため、握りやすくなり使用時の操作性が良好となる。
【００２０】
しかも、仮に、前記台座の外側に前記吐出ヘッドを覆い被せるように構成する場合に比べて、前記台座および前記吐出ヘッドにおける前記エアゾール缶の中心軸線に沿う方向の寸法を、共に可及的に短くすることが可能になるので、前記台座および前記吐出ヘッドの材料コストの増大を抑制できるようになる。
【００２１】
さらに、前記ノズルは、その吐出口側が弾性アームを介して前記枠部に片持ち梁状に支持されていて、前記通路は、前記第１ステムおよび第２ステムから前記エアゾール缶の中心軸線に沿って吐出される二種の内容物を前記エアゾール缶の径方向外向きに方向転換させて合流させながら外へ向かわせるような形状とされている、構成とすることが好ましい。
【００２２】
この構成によれば、前記ノズルを押動操作する際に当該ノズルが梃の原理で傾動されるようになる。これにより、前記押動操作に必要な力が軽減されるとともに、前記押動操作に伴う前記ノズルの傾動量が増大することになるので、比較的小さな力で確実に内容物を吐出させることが可能になる。
【００２３】
しかも、前記構成によれば、前記通路から吐出される二種の内容物を前記エアゾール缶の外周付近で使用者が受け取れるようになるので、使用者が受け取りやすくなることが明らかになる。
【００２４】
また、前記通路の前記方向転換部位は、外側に開放するような形態とされていて、前記ノズルの上側には、前記開放部位を開閉するためのノズルカバーが重ね合わされていて、このノズルカバーは、前記ノズルの反吐出口側にヒンジを介して一直線に並ぶように連接されるとともに、前記ヒンジを支点として上向きに折り曲げられることによって前記ノズルの上側に重ね合されるように構成されている、ことが好ましい。
【００２５】
この構成によれば、前記ノズルカバーを前記ノズルから引き離すように傾動させると、前記通路の前記方向転換部位が外側に開放されて露呈することになるので、前記通路全体を直接水などで洗浄できるようになる。
【００２６】
これにより、前記エアゾール缶から内容物を吐出させた後、前記通路に付着している前記二種の内容物を比較的簡単かつ綺麗に洗い落とすことが可能になるなど、前記吐出ヘッドの手入れが比較的簡単に行えるようになる。
【００２７】
また、前記通路の前記方向転換部位は、外側に開放するような形態とされていて、前記ノズルにおいて前記開放部位の近傍には、当該開放部位を開閉するためのノズルカバーがヒンジを介して連接されており、このノズルカバーは、前記ヒンジを支点として反吐出口側に伏せるように傾動されることにより前記開放部位を閉塞する状態にされる一方、前記ヒンジを支点として吐出口側に引き離すように傾動されることにより前記開放部位を開放する状態にされるように構成されている、ことが好ましい。
【００２８】
この構成によれば、前記ノズルカバーを前記ノズルから引き離すように傾動させると、前記通路の前記方向転換部位が外側に開放されて露呈することになるので、前記通路全体を直接水などで洗浄できるようになる。
【００２９】
これにより、前記エアゾール缶から内容物を吐出させた後、前記通路に付着している前記二種の内容物を比較的簡単かつ綺麗に洗い落とすことが可能になるなど、前記吐出ヘッドの手入れが比較的簡単に行えるようになる。
【００３０】
また、前記台座には、径方向内向きの押動操作に応答して前記被係止部を前記吐出ヘッドの係止部から離脱させるための操作部が設けられている、構成とすることが好ましい。
【００３１】
この構成によれば、前記押動操作を受けるための操作部によって前記台座の被係止部を前記吐出ヘッドの係止部から離脱させる行為が比較的簡単に行えるようになる。
【００３２】
また、本発明に係る二液吐出器は、円柱形とされかつ一端側に径方向に隣り合う第１ステムおよび第２ステムが設けられているエアゾール缶と、このエアゾール缶の前記一端側に着脱可能に取り付けられかつ押動操作に応答して前記エアゾール缶内の二種の内容物を前記第１ステムおよび第２ステムから同時に吐出させるためのノズルユニットと、を含み、前記ノズルユニットが、上記した構成とされている、ことを特徴としている。
【００３３】
この二液吐出器は、前記したような優位性を有するノズルユニットを装備しているので、当然ながら、製造コストを低減することが可能になるとともに、使用後、つまり前記エアゾール缶から二種の内容物を吐出させた後における前記吐出ヘッドの手入れが比較的簡単に行えるようになる。
【発明の効果】
【００３４】
本発明に係るノズルユニットは、上記特許文献１，２の吐出具に比べて構成部品点数が少ないことから、上記特許文献１，２の吐出具に比べて製造コストを低減することが可能になるとともに、内容物を吐出させるための通路の洗浄に伴う部品取り外し作業、具体的には、台座から吐出ヘッドを取り外す作業、吐出ヘッドを洗浄する作業、吐出ヘッドを台座へ装着する作業といった一連の動作を簡単に行うことができる。
【００３５】
また、本発明に係る二液吐出器は、前記優位性を有するノズルユニットを備えていることから、上記特許文献１の二液吐出器および特許文献２の二連式エアゾール容器よりも製造コストを低減することが可能になるとともに、使用後の手入れ、具体的には、洗浄に伴う部品取り外し作業を簡単に行うことが可能になる。
【図面の簡単な説明】
【００３６】
【図１】本発明に係る二液吐出器の一実施形態を示す分解斜視図である。
【図２】図１においてエアゾール缶に台座を取り付けた状態を示す分解斜視図である。
【図３】図２において台座に吐出ヘッドを取り付けて二液吐出器を完成した状態を示す斜視図である。
【図４】台座を下から見上げた状態の斜視図である。
【図５】台座の平面図である。
【図６】台座の下面図である。
【図７】吐出ヘッドの平面図である。
【図８】吐出ヘッドの下面図である。
【図９】吐出ヘッドの正面図である。
【図１０】吐出ヘッドの背面図である。
【図１１】図７の（１１）−（１１）線断面を矢印方向から見た図である。
【図１２】吐出ヘッドのノズルカバーをノズルに重ね合わせる前の状態を示す平面図である。
【図１３】図１２の吐出ヘッドの下面図である。
【図１４】図１２の（１４）−（１４）線断面を矢印方向から見た図である。
【図１５】本発明に係る二液吐出器の他の実施形態を示す分解斜視図で、ノズルカバーを閉じた状態を示している。
【図１６】図１５を操作片側から見た図である。
【図１７】図１５の吐出ヘッドの平面図である。
【図１８】図１５の吐出ヘッドにおいてノズルカバーを開いた状態の斜視図である。
【図１９】図１８を操作片側から見た図である。
【図２０】図１８の吐出ヘッドの平面図である。
【図２１】図２０の（２１）−（２１）線断面を矢印方向から見た図である。
【発明を実施するための形態】
【００３７】
本発明に係るノズルユニットは、円柱形のエアゾール缶の一端側に径方向に隣り合うように設けられる第１ステムおよび第２ステムから、二種の内容物を同時に吐出させるためのノズルユニットであって、前記エアゾール缶の前記一端側に前記第１ステムおよび第２ステムを露呈するように着脱可能に装着される台座と、この台座の上部に着脱可能に取り付けられる吐出ヘッドとの２パーツで構成され、前記吐出ヘッドは、前記第１ステムおよび第２ステムに個別に連結されるとともに、前記第１ステムおよび第２ステムから吐出される各内容物を合流して外へ吐出させるための通路を有するノズルと、前記台座に離脱可能に係止される係止部を有しかつ前記ノズルの押動操作に応答して傾動可能とするように支持するための枠部と、を有し、前記台座は、前記吐出ヘッドの前記係止部が離脱可能に係止される被係止部を有する、ことを特徴としている。
【００３８】
前記第１ステムおよび第２ステムは、円柱形のエアゾール缶の一端側に設けられており、かつ前記エアゾール缶の前記一端側に径方向に隣り合うように設けられている。
【００３９】
前記ノズルユニットは、前記エアゾール缶の前記一端側に前記第１ステムおよび第２ステムを露呈するように着脱可能に装着される台座と、前記台座の上部に着脱可能に取り付けられる吐出ヘッドからなり、これら２つの部品構造で構成されている。
【００４０】
前記吐出ヘッドは、前記第１ステムおよび第２ステムに個別に連結され、前記第１ステムおよび第２ステムから吐出される各内容物を合流して外へ吐出させるための通路を有するノズルと、前記台座に離脱可能に係止される係止部を有しかつ前記ノズルの押動操作に応答して傾動可能とするように支持するための枠部とを有している。また、前記台座は、前記吐出ヘッドの前記係止部が離脱可能に係止される被係止部を有している。
【００４１】
以下、本発明を実施するための最良の実施形態について添付図面を参照して詳細に説明する。
【００４２】
図１から図１４に、本発明の一実施形態を示している。図中、１は二液吐出器の全体を示している。
【００４３】
この二液吐出器１は、エアゾール缶２にノズルユニット３を取り付けた構成になっている。
【００４４】
エアゾール缶２は、円柱形に形成され、その中心軸線１００に沿う方向の一端側にバルブ４が装着されている。
【００４５】
このエアゾール缶２は、二種の内容物が収容されるものである。このエアゾール缶２の内部には、詳細に図示していないが、例えば毛染め用のアルカリ剤、染料などを含有する第１剤を収容する第１容器と、毛染め用の酸化剤などを含有する第２剤を収容する第２容器とが隣り合うように配置された状態で収納されている。なお、前記第１容器および第２容器ともに例えばパウチ容器とされている。
【００４６】
バルブ４は、エアゾール缶２の二種の内容物を吐出させない閉止状態と前記二種の内容物を個別に吐出させる開放状態とに切り替えられる構成であって、エアゾール缶２の中心軸線１００に沿う方向の一端側に設けられている。
【００４７】
このバルブ４は、バルブボディ４１、第１ステム４２、第２ステム４３などを備えている。第１ステム４２、第２ステム４３は、前記内容物を吐出するための通路であって、バルブボディ４１においてエアゾール缶２の径方向に沿って隣り合うように設けられている。第１ステム４２、第２ステム４３が押し下げられると、エアゾール缶２の内容物が吐出されるように設計されている。
【００４８】
ノズルユニット３は、エアゾール缶２の内容物を吐出させるための押動操作を受けるものであって、台座５と、吐出ヘッド６からなる２つの部品構造で構成されている。
【００４９】
台座５は、エアゾール缶２の中心軸線１００に沿う方向の一端側に、バルブ４の第１ステム４２、第２ステム４３を露呈するように着脱可能に装着されるものであって、二重筒構造とされている。
【００５０】
具体的に、台座５は、同心円状に離隔配置される内筒部５１と外筒部５２とを連結部５３により連結したような構成になっている。
【００５１】
内筒部５１は、円筒形に形成されていて、その内周面がエアゾール缶２のバルブ４のバルブボディ４１に嵌合装着されるようになっている。また、内筒部５１の上端には、中心に小判形孔５１ｂを有する天板部５１ｃが設けられている。
【００５２】
外筒部５２は、その円周所定の所定角度領域が欠如されており、そのために不完全な円筒形になっている。
【００５３】
連結部５３は、内筒部５１の下端と外筒部５２の下端とを連結するように径方向に沿う環状板とされている。
【００５４】
内筒部５１の内周面において円周等間隔の三ヶ所には、例えば図４から図６に示すように、引っ掛け部５１ａが設けられている。この引っ掛け部５１ａは、周方向に沿って長い突条部とされていて、図１１に示すように、台座５をエアゾール缶２に嵌合装着したときに定量バルブ４のバルブボディ４１の下側外周縁に係止されるようになっている。
【００５５】
なお、天板部５１ｃには、図１、図５ならびに図６に示すように、引っ掛け部５１ａを形成するときに必要となる金型抜き孔５１ｄが設けられている。
【００５６】
このような台座５を、図２に示すようにエアゾール缶２に装着すると、内筒部５１の小判形孔５１ｂからエアゾール缶２の第１ステム４２、第２ステム４３が突出させられるようになり、外筒部５２の外周面がエアゾール缶２の外周面に面一に連なるようになって、外向きに出っ張る部分が生じないようになる。また、台座５をエアゾール缶２に装着すると、引っ掛け部５１ａにより簡単に分離しないようになる。
【００５７】
さらに、外筒部５２の１８０度対向する二ヶ所には、被係止部５２ａと、操作部５２ｂとが設けられている。
【００５８】
被係止部５２ａは、吐出ヘッド６の下記係止部６２ｅが係止されるものであって、周方向に沿う長孔とされている。
【００５９】
操作部５２ｂは、外筒部５２にＵ字形の打ち抜き窓（符号省略）を設けることによって舌片状に形成されている。この操作部５２ｂが径方向内向きの押動操作を受けると、被係止部５２ａが外向きに弾性変形させられることになって吐出ヘッド６の下記係止部６２ｅから離脱するようになる。
【００６０】
吐出ヘッド６は、台座５の上部に着脱可能に取り付けられるものであって、ノズル６１と、枠部６２とを有している。
【００６１】
ノズル６１には、エアゾール缶２の第１ステム４２、第２ステム４３に個別に連通するように連結されるとともに当該第１ステム４２、第２ステム４３から吐出される各内容物を合流して吐出させるための通路（符号省略）が設けられている。
【００６２】
この通路は、第１ステム４２、第２ステム４３からエアゾール缶２の中心軸線１００に沿って吐出される二種の内容物をエアゾール缶２の径方向外向きに方向転換させて合流させながら外へ向かわせるような形状とされている。
【００６３】
具体的に、前記通路は、第１下開き凹部６１ａ、第２下開き凹部６１ｂと、第１縦孔６１ｃ、第２縦孔６１ｄと、単一の横孔６１ｅとで構成されている。
【００６４】
第１下開き凹部６１ａ、第２下開き凹部６１ｂは、ノズル６１の長手方向中間位置の略下半分領域に設けられていて、第１ステム４２、第２ステム４３が個別に嵌合装着されるようになっている。
【００６５】
第１縦孔６１ｃ、第２縦孔６１ｄは、ノズル６１の長手方向中間位置の略上半分領域に設けられていて、その内側開口が第１下開き凹部６１ａ、第２下開き凹部６１ｂに連通されている。この第１縦孔６１ｃ、第２縦孔６１ｄは、第１下開き凹部６１ａ、第２下開き凹部６１ｂを個別に上向きに開放するために設けられている。
【００６６】
単一の横孔６１ｅは、ノズル６１の長手方向片半分領域に設けられている。この横孔６１ｅの一端側は第１縦孔６１ｃ、第２縦孔６１ｄそれぞれの軸方向途中に連通されており、また、横孔６１ｅの他端側は外へ向けて開放されている。この横孔６１ｅの他端側開放部位（外側開口）が、前記二種の内容物の吐出口となる。
【００６７】
このノズル６１の上側には、第１縦孔６１ｃ、第２縦孔６１ｄの上側開口を開閉するためのノズルカバー６３が重ね合わされている。
【００６８】
このノズルカバー６３は、ノズル６１の反吐出口側にヒンジ６４を介して一直線に並ぶように連接されていて、ヒンジ６４を支点として上向きに折り曲げられることによってノズル６１の上側に重ね合されるようになっている。
【００６９】
このノズルカバー６３には、陥没部６３ａが設けられている。陥没部６３ａは、ノズルカバー６３をノズル６１に重ね合わせた状態において、第１縦孔６１ｃ、第２縦孔６１ｄ全体を覆い隠すようになるとともに、当該陥没部６３ａの内底面が第１縦孔６１ｃ、第２縦孔６１ｄの上側開口を閉塞するようになる。
【００７０】
この陥没部６３ａ内には、凸状の蓋部６３ｂが設けられている。この蓋部６３ｂは、ノズルカバー６３をノズル６１に重ね合わせた状態において、ノズル６１の第１縦孔６１ｃ、第２縦孔６１ｄの上側開口に嵌入されることによって、ノズル６１にノズルカバー６３を位置決めするために設けられている。
【００７１】
さらに、ノズルカバー６３の端面には、操作片６３ｃと突条部６３ｄとが設けられている。操作片６３ｃは、ノズルカバー６３をノズル６１から引き離すために設けられている。突条部６３ｄは、ノズルカバー６３をノズル６１に重ね合わせたときに、ノズル６１に設けられている受け側突条部６１ｆに係止されることになって、前記重ね合わせ状態を保持するために設けられている。
【００７２】
枠部６２は、ノズル６１を傾動可能に支持するものであって、第１立壁部６２ａ、第２立壁部６２ｂの各下側角部同士を連結部６２ｃにより連結した構成になっている。この枠部６２の連結部６２ｃに、ノズル６１が弾性アーム６５を介して片持ち梁状に支持されるようになっている。
【００７３】
第１立壁部６２ａ、第２立壁部６２ｂは、平行に対向するように配置されていて、それらの対向空間にノズル６１が非接触に配置されるようになっている。また、第１立壁部６２ａ、第２立壁部６２ｂは、ノズル６１およびノズルカバー６３の上端よりも高くなっている。さらに、第１立壁部６２ａ、第２立壁部６２ｂの外面は、台座５の外筒部５２の外周面と面一に連なるように丸みを帯びた形状に形成されている。
【００７４】
そして、第１立壁部６２ａ、第２立壁部６２ｂの下端には、それぞれ１つずつ下向きに突出する垂下片６２ｄが設けられている。両方の垂下片６２ｄの外面所定位置には、それぞれ係止部６２ｅが設けられている。この係止部６２ｅは、横長の突条部とされている。
【００７５】
図２に示すように、吐出ヘッド６を台座５に連結する際に、垂下片６２ｄが台座５の内筒部５１と外筒部５２との対向空間内に差し入れられるようになって、係止部６２ｅが台座５の被係止部５２ａに離脱可能に係止されるようになる。
【００７６】
次に、エアゾール缶２にノズルユニット３を取り付ける手順について説明する。
【００７７】
まず、図１の状態から図２に示すように、エアゾール缶２にノズルユニット３の台座５を装着する。
【００７８】
このとき、エアゾール缶２のバルブ４のバルブボディ４１に、台座５の内筒部５１を嵌合させるようにしてエアゾール缶２側に押し付けるのであるが、内筒部５１の引っ掛け部５１ａがバルブボディ４１の下側外周縁に係止されると、台座５がエアゾール缶２に簡単に外れない状態に装着される。
【００７９】
次に、図２の状態から図３に示すように、台座５の上に吐出ヘッド６を装着する。このとき、吐出ヘッド６の垂下片６２ｄを台座５の内筒部５１と外筒部５２との対向空間に差し入れるようにして台座５側に押し付けるのであるが、吐出ヘッド６の第１立壁部６２ａ、第２立壁部６２ｂの下端が台座５の外筒部５２の上端に当接または近接して、吐出ヘッド６の垂下片６２ｄの係止部６２ｅが外筒部５２の被係止部５２ａに係止されると、吐出ヘッド６が台座５に簡単に外れない状態に装着される。
【００８０】
しかも、このように係止部６２ｅが被係止部５２ａに確実に係止されたときには、例えば「カチッ」といった音がするので、吐出ヘッド６の装着が完了したことを音で認識できるようになる。
【００８１】
次に、上記したように組み立てた二液吐出器１の使用時の動作について説明する。
【００８２】
使用者が指で吐出ヘッド６のノズルカバー６３を押し下げるように押動操作すると、当該ノズルカバー６３と一体のノズル６１が枠部６２の連結部６２ｃを支点として下向きに傾動させられることになり、それによってエアゾール缶２の第１ステム４２、第２ステム４３が押し下げられることになる。
【００８３】
これにより、第１ステム４２、第２ステム４３からエアゾール缶２の二種の内容物が同時にノズル６１の第１縦孔６１ｃ、第２縦孔６１ｄに流入するようになり、ここで９０度方向転換させられて、ノズル６１の横孔６１ｅに流入することになる。
【００８４】
この横孔６１ｅでは、前記二種の内容物が合流されて、当該横孔６１ｅの外側開口（ノズル６１の吐出口に相当）からエアゾール缶２の径方向一方位へ向けて吐出されるようになる。
【００８５】
このようにしてエアゾール缶２の内容物を吐出させた後は、当該内容物がノズル６１の通路（第１下開き凹部６１ａ、第２下開き凹部６１ｂ、第１縦孔６１ｃ、第２縦孔６１ｄ、横孔６１ｅ）を洗浄することが好ましい。
【００８６】
と言うのは、前記内容物の吐出後、洗浄せずに長期にわたって放置していると、前記通路内に存在している内容物が固まって目詰まりするおそれがある。また、内容物が毛染め用の組成物である場合には、前記通路内で残存した組成物中の染料が変色し、次回使用時に染色面で悪影響を及ぼすおそれがある。このような目詰まりや組成物の変色を防止するために、前記内容物を吐出させた後でノズル６１の通路を洗浄することが好ましいのである。
【００８７】
次に、前記ノズル６１の洗浄を行う手順を説明する。
【００８８】
吐出ヘッド６を台座５から取り外す。その場合には、台座５の操作部５２ｂを押動操作したまま、吐出ヘッド６を台座５から引き離すように上向きに引っ張ればよい。
【００８９】
なお、前記押動操作を行うと、台座５の被係止部５２ａが外向きに弾性変形させられることになるので、当該被係止部５２ａが吐出ヘッド６の係止部６２ｅから離脱しうる状態になる。このような状態にしてから、吐出ヘッド６を台座５から引き離すように上向きに引っ張れば、吐出ヘッド６を台座５から取り外せるようになる。
【００９０】
このようにして吐出ヘッド６を取り外した後、ノズルカバー６３を上向きに持ち上げるようにすると、ノズルカバー６３の突条部６３ｄがノズル６１の受け側突条部６１ｆから外れることになって、ヒンジ６４を支点として傾動することになる。これにより、ノズル６１の第１縦孔６１ｃ、第２縦孔６１ｄと、ノズルカバー６３の陥没部６３ａおよび蓋部６３ｂと、が外に露呈することになる。
【００９１】
このような状態になれば、ノズル６１の第１縦孔６１ｃ、第２縦孔６１ｄ、第１下開き凹部６１ａ、第２下開き凹部６１ｂと、ノズルカバー６３の陥没部６３ａおよび蓋部６３ｂと、を直接水などで洗浄できるようになる。これにより、それらに付着した前記二種の内容物を比較的簡単かつ綺麗に洗い落とすことが可能になる。
【００９２】
なお、このようなノズル６１の洗浄作業は、吐出ヘッド６を台座５から取り外さない状態でも行うことが可能である。しかしながら、前記したように吐出ヘッド６を取り外した方が当該吐出ヘッド６を持ちやすくなるので、ノズル６１の洗浄作業を行いやすくなると言える。
【００９３】
以上説明したように本発明を適用した実施形態では、二液吐出器１に備えるノズルユニット３を台座５と吐出ヘッド６との２つの部品構造で構成されているから、上記特許文献１，２の吐出具に比べてノズルユニット３の構成部品点数が少なくなるとともに製造コストを低減することが可能になる。これに伴い、前記ノズルユニット３を備える二液吐出器１の製造コストについても上記特許文献１の二液吐出器および特許文献２の二連式エアゾール容器に比べて低減することが可能になる。
【００９４】
しかも、エアゾール缶２から二種の内容物を吐出させた後でノズル６１を洗浄する際には、吐出ヘッド６のノズル６１からノズルカバー６３を引き離すことによって、ノズル６１の通路において内容物の方向転換部位（第１縦孔６１ｃ、第２縦孔６１ｄ）を外側に開放して露呈させることが可能になる。
【００９５】
これにより、ノズル６１の通路全体を直接水などで洗浄することにより当該通路に付着している前記二種の内容物を比較的簡単かつ綺麗に洗い落とすことが可能になる。このように、ノズル６１の通路の洗浄に伴う部品取り外し作業が簡単に行えるとともに、使用後の吐出ヘッド６の手入れが比較的簡単に行えるようになる。
【００９６】
この他、この実施形態の構成を採用している場合には、さらに下記するような効果が得られる。
【００９７】
（１）枠部６２の第１立壁部６２ａ、第２立壁部６２ｂの高さを、ノズルカバー６３よりも高い位置に設定している。当該設定とすることにより、第１立壁部６２ａ、第２立壁部６２ｂの存在によってノズルカバー６３に触れにくくなるため、ノズル６１が間違って押動操作されにくくなり、誤操作を防止することができる。
【００９８】
（２）第１立壁部６２ａ、第２立壁部６２ｂの外面と台座５の外周面とを面一に連なるようにしているから、ノズルユニット３の外周面に凹凸が存在しなくなるなど、ノズルユニット３の外形デザインがシンプルでスマートになる。また、台座５の外周面とエアゾール缶２の外周面とを面一に連なるようにしているから、二液吐出器１の外周面に凹凸が存在しなくなるなど、二液吐出器１の外形デザインがシンプルでスマートになる。これによりエアゾール缶との一体感が増すため、握りやすくなり使用時の操作性が良好となる。
【００９９】
しかも、仮に、台座５の外側に吐出ヘッド６を覆い被せるように構成する場合に比べて、台座５および吐出ヘッド６におけるエアゾール缶２の中心軸線１００に沿う方向の寸法を、共に可及的に短くすることが可能になるので、台座５および吐出ヘッド６の材料コストの増大を抑制できるようになる。
【０１００】
（３）ノズル６１を弾性アーム６５を介して枠部６２に片持ち梁状に支持しているから、ノズル６１を押動操作する際に当該ノズル６１が梃の原理で傾動されることになる。これにより、前記押動操作に必要な力が軽減されるとともに前記押動操作に伴うノズル６１の傾動量が増大するようになるので、比較的小さな力で確実に内容物を吐出させることが可能になる。
【０１０１】
（４）エアゾール缶２内の二種の内容物を径方向外向きに吐出させる形態にしているから、当該吐出される二種の内容物をエアゾール缶２の外周付近で使用者が受け取れるようになるので、使用者が受け取りやすくなる。
【０１０２】
なお、本発明は、上記実施形態のみに限定されるものではなく、特許請求の範囲内および当該範囲と均等の範囲内で適宜に変更することが可能である。
【０１０３】
（１）上記実施形態では、吐出ヘッド６のノズルカバー６３を上向きに折り曲げることによりノズル６１の上側に重ね合わせる形態にした例を挙げているが、本発明はこれのみに限定されるものではない。
【０１０４】
例えば図示していないが、吐出ヘッド６のノズルカバー６３を下向きに折り曲げることによりノズル６１の下側に重ね合わせる形態とすることが可能である。
【０１０５】
このようにした場合においても、上記実施形態と同様の作用、効果を得ることが可能である。
【０１０６】
また、ノズルカバー６３を無くした構造も本発明に含まれる。この場合、ノズル６１の通路については、第１縦孔６１ｃ、第２縦孔６１ｄを無くし、第１下開き凹部６１ａ、第２下開き凹部６１ｂを横孔６１ｅに連通させる形態にする必要がある。
【０１０７】
（２）上記実施形態では、吐出ヘッド６の枠部６２における第１、第２立壁部６２ａ，６２ｂをノズルカバー６３よりも高く設定した例を挙げているが、本発明はこれのみに限定されるものではない。
【０１０８】
例えば図示していないが、第１立壁部６２ａ、第２立壁部６２ｂをノズルカバー６３と同じ高さに設定したり、第１立壁部６２ａ、第２立壁部６２ｂをノズルカバー６３よりも低く設定したり、することが可能である。
【０１０９】
（３）上記実施形態では、吐出ヘッド６の枠部６２における第１立壁部６２ａ、第２立壁部６２ｂの外面と台座５の外筒部５２の外周面とを面一に連なるようにした例を挙げているが、本発明はこれのみに限定されるものではない。
【０１１０】
例えば図示していないが、第１立壁部６２ａ、第２立壁部６２ｂの外面を台座５の外筒部５２の外周面より径方向外向きに入り込むような形態にしたり、あるいは径方向内向きに張り出すような形態にしたり、することが可能である。
【０１１１】
（４）図１５から図２１に本発明の他の実施形態を示している。この実施形態では、台座５と吐出ヘッド６との連結に関する構成、ならびに吐出ヘッド６のノズル６１周辺に関する構成が上記実施形態と相違している。以下において詳細に説明する。
【０１１２】
台座５は、エアゾール缶２の中心軸線１００に沿う方向の一端側に、バルブ４の第１ステム４２、第２ステム４３を露呈するように着脱可能に装着されるものであって、二重筒構造とされている。
【０１１３】
具体的に、台座５は、同心円状に離隔配置される内筒部５１と外筒部５２とを連結部５３により連結したような構成になっている。
【０１１４】
内筒部５１は、円筒形に形成されていて、その内周面がエアゾール缶２のバルブ４のバルブボディ４１に嵌合装着されるようになっている。また、内筒部５１の上端には、中心に小判形孔５１ｂを有する天板部５１ｃが設けられている。
【０１１５】
外筒部５２は、その円周所定の所定角度領域が欠如されており、そのために不完全な円筒形になっている。
【０１１６】
連結部５３は、内筒部５１の下端と外筒部５２の下端とを連結するように径方向に沿う環状板とされている。
【０１１７】
内筒部５１の内周面において円周等間隔の三ヶ所には、図示していないが、上記実施形態の引っ掛け部５１ａと同様の引っ掛け部が設けられており、この引っ掛け部５１ａが台座５をエアゾール缶２に嵌合装着したときに定量バルブ４のバルブボディ４１の下側外周縁に係止されるようになっている。
【０１１８】
なお、天板部５１ｃには、前記引っ掛け部を形成するときに必要となる金型抜き孔５１ｄが設けられている。
【０１１９】
このような台座５をエアゾール缶２に装着すると、内筒部５１の小判形孔５１ｂからエアゾール缶２の第１ステム４２、第２ステム４３が突出させられるようになり、外筒部５２の外周面がエアゾール缶２の外周面に面一に連なるようになって、外向きに出っ張る部分が生じないようになる。また、台座５をエアゾール缶２に装着すると、前記引っ掛け部により簡単に分離しないようになる。
【０１２０】
さらに、外筒部５２の１８０度対向する二ヶ所には、可動片５２１が設けられている。この可動片５２１は弾性変形可能な舌片状に形成されていて、その上端には周方向に沿う平行な二つの突条部５２２，５２３が設けられている。なお、二つの突条部５２２，５２３は、周方向に沿うものだけに限定されるものではなく、他の形状とすることも可能である。
【０１２１】
この可動片５２１の二つの突条部５２２，５２３のうち、上側の突条部５２２が吐出ヘッド６の下記係合孔６２１に入り込んで架橋部６２２の上縁に引っ掛けられる一方で、下側の突条部５２３が架橋部６２２の下縁に引っ掛けられることにより、台座５と吐出ヘッド６とが連結されるようになる。
【０１２２】
この連結状態において、可動片５２１を径方向内向きに押動操作すると、当該可動片５２１の二つの突条部５２２，５２３が架橋部６２２から離れることになって台座５と吐出ヘッド６とが分離されるようになる。
【０１２３】
吐出ヘッド６は、台座５の上部に着脱可能に連結されるものであって、ノズル６１と、枠部６２とを有している。
【０１２４】
ノズル６１は下記枠部６２の第１連結部６２ｃ１に弾性アーム６５を介して片持ち梁状に支持されるようになっている。
【０１２５】
このノズル６１には、エアゾール缶２の第１ステム４２、第２ステム４３に個別に連通するように連結されるとともに当該第１ステム４２、第２ステム４３から吐出される各内容物を合流して吐出させるための通路（符号省略）が設けられている。
【０１２６】
この通路は、第１ステム４２、第２ステム４３からエアゾール缶２の中心軸線１００に沿って吐出される二種の内容物をエアゾール缶２の径方向外向きに方向転換させて合流させながら外へ向かわせるような形状とされている。
【０１２７】
具体的に、前記通路は、第１下開き凹部６１ａ、第２下開き凹部６１ｂと、第１縦孔６１ｃ、第２縦孔６１ｄと、単一の横孔６１ｅとで構成されている。
【０１２８】
第１下開き凹部６１ａ、第２下開き凹部６１ｂは、ノズル６１において弾性アーム６５と連結される部位の略下半分領域に設けられていて、第１ステム４２、第２ステム４３が個別に嵌合装着されるようになっている。
【０１２９】
第１縦孔６１ｃ、第２縦孔６１ｄは、第１下開き凹部６１ａ、第２下開き凹部６１ｂを個別に上向きに開放するために設けられている。この第１縦孔６１ｃ、第２縦孔６１ｄは、ノズル６１において弾性アーム６５と連結される部位の略上半分領域に設けられていて、その内側開口が第１下開き凹部６１ａ、第２下開き凹部６１ｂに連通されている。また、第１縦孔６１ｃ、第２縦孔６１ｄの各外側開口は一つに合流されて拡大されている。この一つに合流した共通の外側開口には符号６１ｇを付している。
【０１３０】
単一の横孔６１ｅは、ノズル６１の長手方向片半分領域に設けられている。この横孔６１ｅの一端側は外側開口６１ｇに連通されており、また、横孔６１ｅの他端側は外へ向けて開放されている。この横孔６１ｅおよび外側開口６１ｇが、前記二種の内容物を合流させて外側に吐出させるための吐出口となる。
【０１３１】
このノズル６１において弾性アーム６５と連結される部位には、操作片６１ｈがノズル６１と一直線に並んだ状態で反吐出口側に向けて突出するように設けられている。
【０１３２】
また、ノズル６１において第１縦孔６１ｃ、第２縦孔６１ｄの共通の外側開口６１ｇの近傍には、当該外側開口６１ｇを開閉するためのノズルカバー６３がヒンジ６４を介して連接されている。
【０１３３】
ヒンジ６４は、薄肉のくびれ状に形成されることによって下記傾動時の支点としての機能を発揮するように構成されている。
【０１３４】
ノズルカバー６３は、ヒンジ６４を支点として反吐出口側に伏せるように傾動されることにより第１縦孔６１ｃ、第２縦孔６１ｄの共通の外側開口６１ｇを閉塞する状態にされる一方、ヒンジ６４を支点として吐出口側に引き離すように傾動されることにより外側開口６１ｇを開放する状態にされるように構成されている。
【０１３５】
このノズルカバー６３には、凸部６３１およびロック片６３２が設けられている。凸部６３１は、ノズルカバー６３の閉塞状態において第１縦孔６１ｃ、第２縦孔６１ｄの共通の外側開口６１ｇ内に嵌入される。ロック片６３２は、ノズルカバー６３の先端に横長孔を作るような形状で形成されており、当該ノズルカバー６３を閉塞状態にしたときに、ノズル６１に設けられている突条部６３３に係止されることになって、前記閉塞状態を保持する。
【０１３６】
枠部６２は、ノズル６１を傾動可能に支持するものであって、第１立壁部６２ａ、第２立壁部６２ｂを有している。
【０１３７】
第１立壁部６２ａ、第２立壁部６２ｂは、平行に対向するように配置されていて、これら第１立壁部６２ａ、第２立壁部６２ｂのそれぞれ長手方向両端の各下側角部同士は、第１連結部６２ｃ１と第２連結部６２ｃ２とにより連結されている。これにより、枠部６２全体の剛性が可及的に高められるようになっている。
【０１３８】
第１立壁部６２ａ、第２立壁部６２ｂの対向空間には、ノズル６１が非接触に配置されるようになっている。
【０１３９】
また、第１立壁部６２ａ、第２立壁部６２ｂは、ノズル６１およびノズルカバー６３の上端よりも高くなっている。さらに、第１立壁部６２ａ、第２立壁部６２ｂの外面は、台座５の外筒部５２の外周面と面一に連なるように丸みを帯びた形状に形成されている。
【０１４０】
そして、第１立壁部６２ａ、第２立壁部６２ｂの下端には、それぞれ１つずつ係合孔６２１が設けられている。この係合孔６２１は、周方向に沿う長孔とされている。
【０１４１】
以上説明した実施形態によれば、台座５と吐出ヘッド６とを連結する操作ならびに離脱させる操作がワンタッチで簡単に行えるようになるとともに、ノズル６１を洗浄する際にノズルカバー６３を外側開口６１ｇから引き離すように傾動させるだけで外側開口６１ｇを外側に開放、露呈させることができて洗浄が容易に行えるようになる点についても、上記実施形態と同様である。
【０１４２】
このような作用、効果の他に本実施形態により得られる作用効果は上記実施形態により得られる作用、効果と略同様であるので、ここでの説明は割愛する。
【産業上の利用可能性】
【０１４３】
本発明は、円柱形のエアゾール缶の一端側に、径方向に隣り合うように設けられる第１、第２ステムから二種の内容物を同時に吐出させるためのノズルユニットならびに二液吐出器に好適に利用することが可能である。
【符号の説明】
【０１４４】
１  二液吐出器
２  エアゾール缶
３  ノズルユニット
４  バルブ
４１  バルブボディ
４２  第１ステム
４３  第２ステム
５  台座
５１  内筒部
５１ａ  引っ掛け部
５１ｂ  小判形孔
５１ｃ  天板部
５２  外筒部
５２ａ  被係止部
５２ｂ  操作部
５３  連結部
６  吐出ヘッド
６１  ノズル
６１ａ  第１下開き凹部
６１ｂ  第２下開き凹部
６１ｃ  第１縦孔
６１ｄ  第２縦孔
６１ｅ  横孔
６１ｆ  受け側突条部
６２  枠部
６２ａ  第１立壁部
６２ｂ  第２立壁部
６２ｃ  連結部
６２ｄ  垂下片
６２ｅ  係止部
６３  ノズルカバー
６４  ヒンジ
６５  弾性アーム
１００  エアゾール缶の中心軸線
【図１】
2019051988.tif 000003
【図２】
2019051988.tif 000004
【図３】
2019051988.tif 000005
【図４】
2019051988.tif 000006
【図５】
2019051988.tif 000007
【図６】
2019051988.tif 000008
【図７】
2019051988.tif 000009
【図８】
2019051988.tif 000010
【図９】
2019051988.tif 000011
【図１０】
2019051988.tif 000012
【図１１】
2019051988.tif 000013
【図１２】
2019051988.tif 000014
【図１３】
2019051988.tif 000015
【図１４】
2019051988.tif 000016
【図１５】
2019051988.tif 000017
【図１６】
2019051988.tif 000018
【図１７】
2019051988.tif 000019
【図１８】
2019051988.tif 000020
【図１９】
2019051988.tif 000021
【図２０】
2019051988.tif 000022
【図２１】
2019051988.tif 000023